【事件の表示】
　特願２０１６−２３１７４８号「遊技機」拒絶査定不服審判事件〔平成３０年６月７日出願公開、特開２０１８−８６１９７号〕について、次のとおり審決する。
【結　論】
　本件審判の請求は、成り立たない。
【理　由】
第１　手続の経緯
　本願は、平成２８年１１月２９日の出願であって、平成２９年９月１２日付けで拒絶の理由が通知され、平成２９年１１月１５日に意見書及び手続補正書が提出されたところ、平成２９年１２月２７日付け（発送日：平成３０年１月９日）で拒絶査定がなされ、それに対して、平成３０年４月９日に拒絶査定不服審判の請求がなされると同時に手続補正（以下「本件補正」という。）がなされたものである。
第２　本件補正についての補正の却下の決定
［補正の却下の決定の結論］
　本件補正を却下する。
［理由］
１　本件補正の概要
　本件補正は、特許請求の範囲を補正する内容を含んでおり、本件補正により、特許請求の範囲の請求項１は、
（補正前：平成２９年１１月１５日付け手続補正）
「【請求項１】
　遊技に応じて発光部材の発光を含む演出を行う遊技機であって、
　発光体を組み合わせて多色での発光が可能であり、複数の輝度を設定可能な発光部材と、
　前記発光部材の発光における輝度を変更するための指示を受け付ける受付手段と、
　演出における前記発光部材の発光を制御し、当該発光部材を所定の発光色で発光させる場合に、前記複数の輝度のいずれで発光させる場合であっても、当該発光部材を構成する前記発光体の輝度の比が同じとなるように発光させる発光制御手段と、
　を備えることを特徴とする、遊技機。」
から、
（補正後：本件補正である平成３０年４月９日付け手続補正）
「【請求項１】
　遊技に応じて発光部材の発光を含む演出を行う遊技機であって、
　発光体を組み合わせて多色での発光が可能であり、複数の輝度を設定可能な発光部材と、
　前記発光部材の発光における輝度を変更するための指示を受け付ける受付手段と、
　演出における前記発光部材の発光を制御し、当該発光部材を
、当該発光部材を構成する前記発光体におけるそれぞれ異なる輝度により特定される
該発
　を備えることを特徴とする、遊技機。」
に補正された（下線は、補正箇所を明示するために当審で付した）。
２　本件補正の適否
　本件補正は、本件補正前の請求項１に記載された発明を特定するために必要な事項である「発光制御手段」について、補正前に、「当該発光部材を所定の発光色で発光させる場合に」とあったのを、補正後に「当該発光部材を
、当該発光部材を構成する前記発光体におけるそれぞれ異なる輝度により特定される
該発
当該発光部材を構成する前記発光体におけるそれぞれ異なる輝度により特定される
　また、当該限定した事項は、本願の願書に最初に添付した明細書、特許請求の範囲又は図面（以下「当初明細書等」という。）の明細書【０１３８】、【０１５１】に記載された事項であるから、本件補正は、当初明細書等の記載の範囲内においてしたものである。
　そこで、本件補正後の請求項１に係る発明（以下「本願補正発明」という。）が特許法第１７条の２第６項において準用する同法第１２６条第７項の規定に適合するか（特許出願の際独立して特許を受けることができるものであるか）について以下に検討する。
３　本願補正発明の独立特許要件についての検討
（１）本願補正発明について
　本願補正発明は、上記１の本件補正の概要に示した次のとおりのものである（Ａ〜Ｅは、本願補正発明を分説するため当審にて付与した）。
「【請求項１】
Ａ　遊技に応じて発光部材の発光を含む演出を行う遊技機であって、
Ｂ　発光体を組み合わせて多色での発光が可能であり、複数の輝度を設定可能な発光部材と、
Ｃ　前記発光部材の発光における輝度を変更するための指示を受け付ける受付手段と、
Ｄ　演出における前記発光部材の発光を制御し、当該発光部材を、当該発光部材を構成する前記発光体におけるそれぞれ異なる輝度により特定される発光色で発光させる場合に、前記複数の輝度のいずれで発光させる場合であっても、当該発光体の輝度の比が同じとなるように発光させる発光制御手段と、
Ｅ　を備えることを特徴とする、遊技機。」
（２）引用文献の記載事項
ア　引用文献１
　原査定の拒絶の理由で引用された、本願の出願前に頒布された又は電気通信回線を通じて公衆に利用可能となった刊行物である特開２０１６−６４１２９号公報（平成２８年４月２８日出願公開。以下「引用文献１」という。）には、図面と共に次の事項が記載されている（下線は当審にて付した。以下同様）。
（ア）「【００１６】
実施の形態１．
　以下、本発明の第１の実施の形態を、図面を参照して説明する。まず、遊技機の一例である
パチンコ遊技機１
（イ）「【００２４】
　演出表示装置９の周囲には、図示するように、１４個の多色発光体（
多色発光ダイオード
で構成される装飾ＬＥＤ２５
装飾ＬＥＤ２５を構成する多色発光ダイオードは、
赤色、緑色、青色の三原色で発光する３つの発光素子が一つにパッケージ化されたもの
それぞれの発光素子の点灯状況に応じて、これらが合成された色を認識する
（ウ）「【００５２】
　また、遊技領域７の外周には、遊技枠の前面枠に設けられた枠ＬＥＤ２８が設けられている。この実施の形態では、
枠ＬＥＤ２８も、
多色発光ダイオード
で構成されている
枠ＬＥＤ２８を構成する多色発光ダイオードは、
赤色、緑色、青色の三原色で発光する３つの発光素子が一つにパッケージ化されたもの
それぞれの発光素子の点灯状況に応じて、これらが合成された色を認識する
（エ）「【０２７０】
　ステップＳ８３３では、
演出制御用ＣＰＵ１０１は、変更後の輝度設定値に応じたレインボー演出用のプロセスデータへの切り替えを行い
変更後の輝度設定値に応じた輝度に枠ＬＥＤ２８および装飾ＬＥＤ２５の輝度が変更される
【０２７１】
　ステップＳ８２１〜Ｓ８３４の処理が実行されることによって、輝度調整可能期間中にスティックコントローラ１２２を前方または後方に傾倒操作することにより、複数の発光色で確認しながら枠ＬＥＤ２８および装飾ＬＥＤ２５の輝度を調整することができる。
【０２７２】
　なお、ステップＳ８２１〜Ｓ８３４の処理が実行されて
輝度が調整されると
調整後の輝度設定値が読み出され、
調整後の輝度で枠ＬＥＤ２８および装飾ＬＥＤ２５の発光制御が行われる
（オ）「【０２７９】
　次いで、
演出制御用ＣＰＵ１０１は、
輝度設定値を読み出し
現在の輝度設定値
に応じたプロセステーブルを選択する
選択したプロセステーブルのプロセスデータ１
（カ）「【０２８４】
　また、
演出制御用ＣＰＵ１０１は、プロセスデータ１の内容
に従って演出装置
演出用部品としての各種ランプ
の制御を実行する
（キ）「【０２９８】
　図３３（１）に示すように、演出図柄の変動表示が実行されている場合には、演出表示装置９において演出図柄の変動表示が表示されるととともに、
枠ＬＥＤ２８および装飾ＬＥＤ２５は演出図柄の変動表示に応じたパターンで発光制御される
（ク）「【０３０２】
　また、図３３（３）に示すように、客待ちデモンストレーション表示２００の表示およびレインボー演出が開始されると、例えば、
演出表示装置９において輝度設定値を示すゲージ表示２０１などが表示され、
スティックコントローラ１２２を用いて前方への傾倒操作が行われると、輝度設定値が高い値に変更され、
発光中の枠ＬＥＤ２８および装飾ＬＥＤ２５の輝度が上昇する
スティックコントローラ１２２を用いて後方への傾倒操作が行われると、輝度設定値が低い値に変更され、
発光中の枠ＬＥＤ２８および装飾ＬＥＤ２５の輝度が低下する
　以上の記載事項（ア）〜（ク）から、引用文献１には、「第１の実施の形態」を中心に、次の技術的事項が記載されているものと認められる（ａ〜ｅは、本願補正発明の分説Ａ〜Ｅに対応させている）。
（ａ、ｅ）記載事項（ア）から、パチンコ遊技機１が記載されている。
　また、記載事項（キ）に、枠ＬＥＤ２８および装飾ＬＥＤ２５は演出図柄の変動表示に応じたパターンで発光制御されることが記載されている。
　そうすると、引用文献１には、
演出図柄の変動表示に応じたパターンで枠ＬＥＤ２８及び装飾ＬＥＤ２５が発光制御されるパチンコ遊技機１
（ｂ）記載事項（イ）から、赤色、緑色、青色の三原色で発光する３つの発光素子が一つにパッケージ化された多色発光ダイオードで構成され、それぞれの発光素子の点灯状況に応じてこれらが合成された色が認識される装飾ＬＥＤ２５が記載されており、記載事項（ウ）から、赤色、緑色、青色の三原色で発光する３つの発光素子が一つにパッケージ化された多色発光ダイオードで構成され、それぞれの発光素子の点灯状況に応じてこれらが合成された色が認識される枠ＬＥＤ２８が記載されている。
　また、記載事項（エ）（【０２７０】）に、変更後の輝度設定値に応じた輝度に枠ＬＥＤ２８および装飾ＬＥＤ２５の輝度が変更されることが、記載事項（エ）（【０２７２】）に、輝度が調整されると調整後の輝度設定値が読み出され、調整後の輝度で枠ＬＥＤ２８および装飾ＬＥＤ２５の発光制御が行われることが記載されており、枠ＬＥＤ２８及び装飾ＬＥＤ２５の輝度が変更可能であることが記載されている。
　そうすると、引用文献１には、赤色、緑色、青色の三原色で発光する３つの発光素子が一つにパッケージ化された多色発光ダイオードで構成され、それぞれの発光素子の点灯状況に応じてこれらが合成された色が認識され、輝度が変更可能である装飾ＬＥＤ２５及び枠ＬＥＤ２８が記載されている。
（ｃ）記載事項（ク）から、スティックコントローラ１２２を用いて前方への傾倒操作が行われると、輝度設定値が高い値に変更され、発光中の枠ＬＥＤ２８および装飾ＬＥＤ２５の輝度が上昇すること、スティックコントローラ１２２を用いて後方への傾倒操作が行われると、輝度設定値が低い値に変更され、発光中の枠ＬＥＤ２８および装飾ＬＥＤ２５の輝度が低下することが記載されており、このことから、引用文献１には、
操作により、輝度設定値を高い値又は低い値に変更され、発光中の枠ＬＥＤ２８及び装飾ＬＥＤ２５の輝度が上昇又は低下するスティックコントローラ１２２
（ｄ）記載事項（オ）、（カ）から、演出制御用ＣＰＵ１０１は、輝度設定値を読み出し、現在の輝度設定値に応じたプロセステーブルを選択し、選択したプロセステーブルのプロセスデータ１の内容に従って各種ランプの制御を実行することが記載されている。また、記載事項（エ）（【０２７０】）から、演出制御用ＣＰＵ１０１は、変更後の輝度設定値に応じた輝度に枠ＬＥＤ２８及び装飾ＬＥＤ２５の輝度を変更することが記載されている。これらのことから、引用文献１には、
輝度設定値に応じて各種ランプの制御を実行するとともに、変更後の輝度設定値に応じた輝度に枠ＬＥＤ２８及び装飾ＬＥＤ２５の輝度を変更する演出制御用ＣＰＵ１０１
　以上の記載事項（ア）〜（ク）及び認定事項（ａ）〜（ｅ）を総合すると、引用文献１には、以下の発明（以下、「引用発明」という。）が記載されている（分説ａ〜ｅは、本願補正発明の分説Ａ〜Ｅに対応させて付与した）。
「ａ　演出図柄の変動表示に応じたパターンで枠ＬＥＤ２８及び装飾ＬＥＤ２５が発光制御されるパチンコ遊技機１であって、
ｂ　赤色、緑色、青色の三原色で発光する３つの発光素子が一つにパッケージ化された多色発光ダイオードで構成され、それぞれの発光素子の点灯状況に応じてこれらが合成された色が認識され、輝度が変更可能である装飾ＬＥＤ２５及び枠ＬＥＤ２８と、
ｃ　操作により、輝度設定値を高い値又は低い値に変更され、発光中の枠ＬＥＤ２８及び装飾ＬＥＤ２５の輝度が上昇又は低下するスティックコントローラ１２２と、
ｄ　輝度設定値に応じて各種ランプの制御を実行するとともに、変更後の輝度設定値に応じた輝度に枠ＬＥＤ２８及び装飾ＬＥＤ２５の輝度を変更する演出制御用ＣＰＵ１０１と、
ｅ　を備えた、パチンコ遊技機１。」
イ　引用文献２
　原査定の拒絶の理由で引用された、本願の出願前に頒布された又は電気通信回線を通じて公衆に利用可能となった刊行物である特開２０１０−２３２８３９号公報（平成２２年１０月１４日出願公開。以下「引用文献２」という。）には、図面と共に次の事項が記載されている。
（ア）「【００２２】
　
音響調整卓１
複数の操作子のうちには、ＬＥＤ
が組み込まれたＬＥＤ操作子が含まれる
【００２３】
　ＬＥＤ操作子の形態は、スライド式に操作されるレベル操作子、回転操作式のノブ型操作子、あるいは、押しボタンスイッチなど、色々な形態が可能である。
　本実施例では、一例として、ＬＥＤ操作子が押しボタンスイッチにより構成される例について説明する。以下、本明細書において、
多色ＬＥＤユニットが組み込まれたＬＥＤ操作子を「ＬＥＤボタン」という
【００２４】
　図２は、ＬＥＤボタンの構成を説明するための概略斜視図である。図２において、網掛けで示す部分は操作パネルの表面であり、符号９はＬＥＤボタンを示し、符号９ａはＬＥＤボタン９のキートップ部を示す。
１つのＬＥＤボタン９には、それぞれ異なる色で発光する複数のＬＥＤを１組にユニット化した多色ＬＥＤユニット１０が組み込まれている。
（イ）「【００４０】
　
表示制御回路２４は
ＬＥＤボタン９
を構成する各ＬＥＤを個別に点灯制御する
（ウ）「【００４６】
　ところで、点灯時間の制御という観点からすれば、１．５ｍｓの期間内におけるＬＥＤのオン・オフのタイミグが異なるだけで、同じ点灯時間を持つオン・オフタイミングのパターンについては、それらの区別をする必要は無い。そこで、本実施例では、図６に示すように、それぞれ点灯時間が異なる６通りの時間パターンを予め決めておき、
各ＬＥＤに対する点灯制御データとして
６通りの時間パターンのいずれかの時間パターンが設定され
【００４７】
　図６において、「パターン６」は６ビットの全てのビットがオンに設定される時間パターン、「パターン５」は６ビットのうち５ビットがオンに設定される時間パターン、「パターン４」は６ビットのうち４ビットがオンに設定される時間パターン、「パターン３」は６ビットのうち３ビットがオンに設定される時間パターン、「パターン２」は６ビットのうち２ビットがオンに設定される時間パターン、及び「パターン１」は６ビットのうち１ビットがオンに設定される時間パターンである。これら
６通りの時間パターン「パターン６」〜「パターン１」は、「パターン６」が最も輝度が高い（明るい）パターンであり、以下、番号順に点灯時間が１段階ずつ短くなるにつれ、輝度が１段階ずつ低くなる
（エ）「【００５４】
《輝度調整モード》
　
ＬＥＤボタン９の輝度（明るさ）を調整する場合には
調整対象の色（ＬＥＤ）を指定し
（オ）「【００６１】
　また、
指定された調整対象が全色（３つのＬＥＤ）の場合
各ＬＥＤ毎の各点灯制御データの値を、それぞれ、１段階輝度の高い（明るい）パターンに変更する
これにより、
その多色ＬＥＤユニット１０の輝度（明るさ）が一段階増す
（カ）「【００６４】
　また、
調整対象として全色を指定した場合
には、
多色ＬＥＤユニット１０の全てのＬＥＤの明るさが１段階ずつ増す
　以上の記載事項（ア）〜（カ）から、引用文献２には、以下の技術的事項（以下、「引用文献２に記載された技術的事項」という。）が記載されている。
　「音響調整卓１として、それぞれ異なる色で発光する複数のＬＥＤを１組にユニット化した多色ＬＥＤユニット１０が組み込まれているＬＥＤボタン９を複数備えたものであり（記載事項（ア））、表示制御回路２４はＬＥＤボタン９を構成する各ＬＥＤを個別に点灯制御し（記載事項（イ））、各ＬＥＤに対する点灯制御データとして輝度が異なる６通りの時間パターンがあり（記載事項（ウ））、ＬＥＤボタン９の輝度（明るさ）を調整する場合には、調整対象の色（ＬＥＤ）を指定し（記載事項（エ））、指定された調整対象が全色（３つのＬＥＤ）の場合、各ＬＥＤ毎の各点灯制御データの値を、それぞれ、１段階輝度の高い（明るい）パターンに変更することで、その多色ＬＥＤユニット１０の輝度（明るさ）が一段階増すこと（記載事項（オ）、（カ））。」
ウ　引用文献３
　周知技術の例として引用する、本願の出願前に頒布された又は電気通信回線を通じて公衆に利用可能となった刊行物である特開２００１−２７２９３８号公報（平成１３年１０月５日出願公開。以下「引用文献３」という。）には、図面と共に次の事項が記載されている。
（ア）「【００２２】〔第４の実施の形態〕次に、図３に、この発明の第４実施形態としてのＬＥＤ表示装置のブロック構成を示す。この
ＬＥＤ表示装置は
発光ダイオード９０からなるＬＥＤマトリックスユニットとドライバ部１００を有する
【００２３】
このドライバ部１００は、１６ビットＬＥＤドライバ８６と、光度調整用コントローラ部９１と、順電流調整用コントローラ部９２からなる
（イ）「【００２５】
順電流調整用コントローラ部９２では
１６ビットＬＥＤドライバ８６が各発光ダイオード９０を駆動する電流値を決定し、各発光ダイオード９０の色調を決定する
【００２６】上記
光度調整用コントローラ部９１は
各発光ダイオード９０毎の点灯時間幅を決定する
（ウ）「【００２９】図４に示すように、この実施形態によれば、
順電流調整用コントローラ部９２で各発光ダイオード９０の順電流を調整して色調を調整し
光度調整用コントローラ部９１で上記順電流を流す時間幅を各発光ダイオード９０毎に変えてデューティー比を調整することで光度を調整する
エ　引用文献４
　周知技術の例として引用する、本願の出願前に頒布された又は電気通信回線を通じて公衆に利用可能となった刊行物である特開２００５−９３５６６号公報（平成１７年４月７日出願公開。以下「引用文献４」という。）には、図面と共に次の事項が記載されている。
（ア）「【００１４】　本発明を具体的に説明する前に、概要を述べる。本発明の実施例は、携帯電話等の通信装置に設けられた
複数のＬＥＤの発光を制御するための制御装置
複数のＬＥＤは、緑色ＬＥＤ、青色ＬＥＤ、赤色ＬＥＤを含み
制御装置は、トランジスタを介して、ＬＥＤとＰＷＭ回路をそれぞれ接続し、ＰＷＭ回路で生成されるパルス信号のデューティ比を変化させて、トランジスタがＯＮする期間を変化させる。その結果、トランジスタがＯＮする期間に応じてＬＥＤの発光期間が変化されて、発光色の色調が決定される
【００１５】　さらに、本実施例の
制御装置は、複数のＬＥＤで実現される発光色の色調に加えて、発光色の輝度も制御する
トランジスタがＯＮになった場合のＬＥＤの駆動電流の大きさを制御する。すなわち、ＬＥＤを明るく発光させるためには、駆動電流を大きくし、暗く発光させるためには、駆動電流を小さくするように制御する
オ　引用文献５
　周知技術の例として引用する、本願の出願前に頒布された又は電気通信回線を通じて公衆に利用可能となった刊行物である特開２００２−１６４１８２号公報（平成１４年６月７日出願公開。以下「引用文献５」という。）には、図面と共に次の事項が記載されている。
（ア）「【００１８】図１は、本発明に基づくカラー照明装置の好適実施例の正面図である。この
カラー照明装置１は、基台２と
赤、緑、青の光を生成するための複数のカラー発光要素７
カラー発光要素７の各々は
ＬＥＤが好適である
（イ）「【００２０】
基台２には
第１の調節器３と、第２の調節器５とが設けられている。第１調節器３はカラー照明装置１によって生成される照明光の明るさを調節するためのもの
（ウ）「【００３４】本発明に基づくと、カラー照明装置１が手動色彩選択モードにあるとき、
装置１から照射される照明光の色を第２調節器５の位置に応じて
変えることができる
ＣＰＵ１５が入力される第２調節器５の回転位置
を照明光の色に変換し、それに応じて三原色のＬＥＤセットＬＲ、ＬＧ、ＬＢから照射される赤、緑、青の光の強さを変えることにより実現される
（３）対比
　本願補正発明と引用発明とを対比する（見出しａ〜ｅは、本願補正発明の分説Ａ〜Ｅに対応させて付与した）。
ａ、ｅ　引用発明の「ａ　演出図柄の変動表示に応じたパターンで枠ＬＥＤ２８及び装飾ＬＥＤ２５が発光制御されるパチンコ遊技機１」について、「演出図柄の変動表示」が行われることは、遊技が行われることであり、「パターンで枠ＬＥＤ２８及び装飾ＬＥＤ２５が発光制御される」ことは、枠ＬＥＤ２８及び装飾ＬＥＤ２５が発光する演出が行われることであるから、引用発明の「ａ　演出図柄の変動表示に応じたパターンで枠ＬＥＤ２８及び装飾ＬＥＤ２５が発光制御されるパチンコ遊技機１」及び「ｅ　パチンコ遊技機１」は、本願補正発明の「Ａ　遊技に応じて発光部材の発光を含む演出を行う遊技機」及び「Ｅ　遊技機」に相当する。
ｂ　引用発明の「赤色、緑色、青色の三原色で発光する３つの発光素子が一つにパッケージ化された多色発光ダイオード」の「発光素子」は、本願補正発明の「発光体」に相当する。また、引用発明の「輝度が変更可能である装飾ＬＥＤ２５及び枠ＬＥＤ２８」について、「輝度が変更可能である」ことから、「複数の輝度を設定可能」であることは明らかである。そうすると、引用発明の「ｂ　赤色、緑色、青色の三原色で発光する３つの発光素子が一つにパッケージ化された多色発光ダイオードで構成され、それぞれの発光素子の点灯状況に応じてこれらが合成された色が認識され、輝度が変更可能である装飾ＬＥＤ２５及び枠ＬＥＤ２８」は、本願補正発明の「Ｂ　発光体を組み合わせて多色での発光が可能であり、複数の輝度を設定可能な発光部材」に相当する。
ｃ　引用発明の「操作により、輝度設定値が高い値又は低い値に変更され、発光中の枠ＬＥＤ２８及び装飾ＬＥＤ２５の輝度が上昇又は低下するスティックコントローラ１２２」は、本願補正発明の「Ｃ　前記発光部材の発光における輝度を変更するための指示を受け付ける受付手段」に相当する。
ｄ　引用発明の「演出制御用ＣＰＵ１０１」は、「枠ＬＥＤ２８及び装飾ＬＥＤ２５の輝度を変更する」のであるから、「枠ＬＥＤ２８及び装飾ＬＥＤ２５」が複数の輝度のいずれで発光されるように制御しており、また、上記認定事項（ａ、ｅ）で示したように、枠ＬＥＤ２８及び装飾ＬＥＤ２５は演出において発光するものである。
　そうすると、引用発明の「ｄ　輝度設定値に応じて各種ランプの制御を実行するとともに、変更後の輝度設定値に応じた輝度に枠ＬＥＤ２８及び装飾ＬＥＤ２５の輝度を変更する演出制御用ＣＰＵ１０１」は、本願補正発明の「Ｄ　演出における前記発光部材の発光を制御し、当該発光部材を、当該発光部材を構成する前記発光体におけるそれぞれ異なる輝度により特定される発光色で発光させる場合に、前記複数の輝度のいずれで発光させる場合であっても、当該発光体の輝度の比が同じとなるように発光させる発光制御手段」と、「演出における前記発光部材の発光を制御し、当該発光部材を前記複数の輝度のいずれで発光させる発光制御手段」である点で共通する。
　上記ａ〜ｅによれば、本願補正発明と引用発明とは、
「Ａ　遊技に応じて発光部材の発光を含む演出を行う遊技機であって、
Ｂ　発光体を組み合わせて多色での発光が可能であり、複数の輝度を設定可能な発光部材と、
Ｃ　前記発光部材の発光における輝度を変更するための指示を受け付ける受付手段と、
Ｄ’　演出における前記発光部材の発光を制御し、当該発光部材を前記複数の輝度のいずれで発光させる発光制御手段と、
Ｅ　を備える、遊技機」
である点で一致し、次の点で相違する。
相違点　「Ｄ’　演出における前記発光部材の発光を制御し、当該発光部材を前記複数の輝度のいずれで発光させる発光制御手段」について、本願補正発明では、「当該発光部材を、当該発光部材を構成する前記発光体におけるそれぞれ異なる輝度により特定される発光色で発光させる場合に、前記複数の輝度のいずれで発光させる場合であっても、当該発光体の輝度の比が同じとなるように発光させる」のに対し、引用発明ではそのような特定について明らかではない点。
（４）判断
　以下、相違点について検討する。
　まず、引用発明は、変更後の輝度設定値に応じた輝度に枠ＬＥＤ２８及び装飾ＬＥＤ２５の輝度を変更するものであるが、この枠ＬＥＤ２８及び装飾ＬＥＤ２５の輝度を変更することは、装飾ＬＥＤ２５及び枠ＬＥＤ２８を構成する、赤色、緑色、青色の三原色で発光する３つの発光素子が一つにパッケージ化された多色発光ダイオードの輝度を変更することでなされることは、当業者には明らかである。
　次に、引用文献２には、上記「引用文献２に記載された技術的事項」として摘記したとおり、ＬＥＤボタン９の輝度（明るさ）を調整する場合に、全色が調整対象の場合、各ＬＥＤ毎の各点灯制御データの値を、それぞれ、１段階輝度の高い（明るい）パターンに変更することで、その多色ＬＥＤユニット１０の輝度（明るさ）が一段階増すことが記載されている。
　また、上記相違点に係る「当該発光体の輝度の比が同じとなるように発光させる点」に関して、引用文献３には、光度調整用コントローラ部９１と、順電流調整用コントローラ部９２を有するＬＥＤ表示装置において（記載事項（ア））、順電流調整用コントローラ部９２で各発光ダイオード９０を駆動する電流値を決定し、光度調整用コントローラ部９１で各発光ダイオード９０毎の点灯時間幅を決定し（記載事項（イ））、順電流調整用コントローラ部９２で各発光ダイオード９０の順電流を調整して色調を調整し(ステップＳ１)、光度調整用コントローラ部９１で上記順電流を流す時間幅を各発光ダイオード９０毎に変えてデューティー比を調整することで光度を調整すること（記載事項（ウ））が記載されている。また、引用文献４には、複数のＬＥＤの発光を制御するための制御装置において、トランジスタに接続されるＰＷＭ回路のパルス信号のデューティ比を変化させることで、ＬＥＤに接続されるトランジスタのＯＮする期間を変化させ、発光色の色調が決定し、トランジスタがＯＮになった場合のＬＥＤの駆動電流の大きさを制御することで、発光色の輝度も制御すること（記載事項（ア））が記載されている。さらに、引用文献５には、赤、緑、青の光を生成するための複数のＬＥＤを有するカラー照明装置において（記載事項（ア））、カラー照明装置１によって生成される照明光の明るさを調節するための第１調節器３と、第２の調節器５とが設けられ（記載事項（イ））、ＣＰＵ１５が入力される第２調節器５の回転位置を照明光の色に変換し、それに応じて三原色のＬＥＤセットＬＲ、ＬＧ、ＬＢから照射される赤、緑、青の光の強さを変えることで、装置１から照射される照明光の色を第２調節器５の位置に応じて変えることができること（記載事項（ウ））が記載されている。これら引用文献３〜５に記載されるように、複数のＬＥＤにより所定の色の発光を行う際に、発光色の調整と、輝度の調整とを別個に行うことは、多色発光ダイオードを用いて多色の発光を行う光源装置の技術分野における周知技術である。このような周知技術によれば、複数のＬＥＤにより所定の色の発光を行う際に、発光色については所定の色の発光となるよう複数のＬＥＤの輝度の比を保ったまま、発光色の調整とは別個に輝度の調整が行われるものである。
　そうすると、引用発明及び引用文献２に記載された技術的事項のいずれも、多色発光ダイオードを用いて多色の発光を行うという点で技術分野が共通するものであり、また、多色発光ダイオードの各発光素子の輝度を制御することで発光色の調整を行うと共に、多色発光ダイオードで構成される装飾ＬＥＤ２５及び枠ＬＥＤ２８（ＬＥＤボタン９）の輝度を調整するという課題も共通するものであるから、引用発明において、操作手段の操作により枠ＬＥＤ２８及び装飾ＬＥＤ２５の輝度を設定した場合に、枠ＬＥＤ２８及び装飾ＬＥＤ２５を構成する赤色、緑色、青色の三原色で発光する３つの発光素子が一つにパッケージ化された多色発光ダイオードの輝度を変更することについて、引用文献２に記載された技術的事項を適用し、多色発光ダイオードの輝度をそれぞれ１段階ずつ高く又は低くしようとすること、その際に上記周知技術を参照し、発光色の調整と、輝度の調整とを別個に行い、発光色については所定の色の発光となるよう多色発光ダイオードの各発光素子の輝度の比を保ったまま、輝度について多色発光ダイオードの輝度を高く又は低くしようとすることで、上記相違点に係る本願補正発明の構成とすることは、当業者であれば容易に為し得たことである。
　そして、本願補正発明の奏する作用効果は、引用発明、引用文献２に記載された技術的事項及び周知技術の奏する作用効果から予測される範囲内のものにすぎず、格別顕著なものということはできない。
　したがって、本願補正発明は、引用発明、引用文献２に記載された技術的事項及び周知技術に基づいて、当業者であれば容易に発明をすることができたものである。
（５）請求人の主張について
　請求人は審判請求書において、引用文献のいずれにも「発光部材を、発光部材を構成する発光体におけるそれぞれ異なる輝度により特定される発光色で発光させる場合に、複数の輝度のいずれで発光させる場合であっても、発光体の輝度の比が同じとなるように発光させることについては開示も示唆もされていない」点、また、当該構成を想到することは当業者にとって極めて困難である旨、主張している。
　しかし、これらの点については、上記（４）判断で示したとおり、引用発明に、引用文献２に記載された技術的事項を適用する際に、上記周知技術を参照し、枠ＬＥＤ２８及び装飾ＬＥＤ２５を構成する多色発光ダイオードについて、発光色の調整と、輝度の調整とを別個に行い、発光色については所定の色の発光となるよう多色発光ダイオードの各発光素子の輝度の比を保ったまま、輝度について多色発光ダイオードの輝度を高く又は低くしようとすることは、当業者であれば容易に為し得た範囲内のことであり、請求人の主張は採用できない。
（６）まとめ
　以上のように、本願補正発明は、引用発明、引用文献２に記載された技術的事項及び周知技術に基づいて、当業者であれば容易に発明をすることができたものであるから、特許法第２９条第２項の規定により、特許出願の際独立して特許を受けることができない。
４　補正の却下の決定についてのむすび
　上記３より、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について
１　本願発明
　本件補正（平成３０年４月９日付け手続補正）は、上記第２のとおり却下されたので、本願の請求項１に係る発明（以下、「本願発明」という。）は、平成２９年１１月１５日付け手続補正書により補正された、上記第２［理由］１で示した特許請求の範囲の請求項１に記載された次のとおりのものである。
「【請求項１】
　遊技に応じて発光部材の発光を含む演出を行う遊技機であって、
　発光体を組み合わせて多色での発光が可能であり、複数の輝度を設定可能な発光部材と、
　前記発光部材の発光における輝度を変更するための指示を受け付ける受付手段と、
　演出における前記発光部材の発光を制御し、当該発光部材を所定の発光色で発光させる場合に、前記複数の輝度のいずれで発光させる場合であっても、当該発光部材を構成する前記発光体の輝度の比が同じとなるように発光させる発光制御手段と、
　を備えることを特徴とする、遊技機。」
２　原査定の拒絶の理由の概略
（進歩性）この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
●理由（特許法第２９条第２項）
・請求項１
・引用文献等１、２
　　　　　　　　　　　　　＜引用文献等一覧＞
　　１.特開２０１６−０６４１２９号公報
　　２.特開２０１０−２３２８３９号公報
３　引用文献
　原査定の拒絶の理由で引用された、引用文献１及び引用文献２の記載事項は、上記第２［理由］３（２）ア及びイに記載したとおりである。
４　対比・判断
　本願補正発明は、上記第２［理由］２で示したとおり、本願発明に対して、補正前に「所定の発光色」とあったのを、補正後に「当該発光部材を構成する前記発光体におけるそれぞれ異なる輝度により特定される発光色」と限定したものである。
　そうすると、本願発明の発明特定事項を全て含み、さらに他の事項を付加したものに相当する本願補正発明が、上記第２［理由］３（４）に記載したとおり、引用発明、引用文献２に記載された技術的事項及び周知技術に基づいて、当業者であれば容易に発明をすることができたものであり、上記限定に対して周知技術を適用したものであるから、本願発明は、引用発明及び引用文献２に記載された技術的事項に基づいて、当業者が容易に発明をすることができたものである。
第４　むすび
　以上のとおり、本願発明は、特許法第２９条第２項の規定により特許を受けることができないから、本願は拒絶すべきものである。
　よって、結論のとおり審決する。